Podtech/llm-jp-corpus-v4-ja_patent huggingface dataset:
(57)【要約】      （修正有）【課題】１本の杖を２本に分離して、安全歩行ができる杖を提供する。【解決手段】１本の杖を縦に分離して、２本の杖１、２になることを特徴とし、２本の杖１、２が磁石３、４で吸着されて１本の杖となっている。【選択図】図１
0003223191.tif 000002
【実用新案登録請求の範囲】
【請求項１】
１本の杖を縦に分離して、杖が２本になる。
【請求項２】
２本の杖を磁石で、吸着する。
【考案の詳細な説明】
【技術分野】
【０００１】  本考案は、１本の杖を縦に分離して、２本の杖を磁石で吸着する。
【背景技術】
【０００２】  従来は、２本の杖を使用していた。
【考案の概要】
【考案が解決しようとする課題】
【０００３】  １本の杖では、難関歩行が危険の為。
【課題を解決するための手段】
【０００４】  １本の杖を２本に分離して、安全歩行をする。
【図面の簡単な説明】
【０００５】
【図１】本考案に係る、杖の一点透視図である。
【図２】Ａ左断面図である。
【図３】Ａ右正面図である。
【符号の説明】
【０００６】  １    Ａ左杖
２    Ａ右杖
３    Ｎ極磁石
４    Ｓ極磁石
Ａ    １本杖の断面
【図１】
0003223191.tif 000003
【図２】
0003223191.tif 000004
【図３】
0003223191.tif 000005
【手続補正書】
【提出日】令和1年7月8日(2019.7.8)
【手続補正１】
【補正対象書類名】実用新案登録請求の範囲
【補正対象項目名】全文
【補正方法】変更
【補正の内容】
【実用新案登録請求の範囲】
【請求項１】
１本の杖を縦に分離して、杖が２本になることを特徴とする杖。
【請求項２】
前記２本の杖が磁石で吸着されて
１本の杖となっていることを特徴とする、請求項１に記載の杖。
(57)【要約】      （修正有）【課題】洋式便器の便器と便座の隙間から小便が突出しないための遮水膜であって、使用後そのまま便器に流せるものを提供する。【解決手段】洋式便器の便器５と便座４の隙間をふさぐ幅の遮水膜１を水溶性の素材で製作し、粘着テープで便座の前方内側に直接貼り付ける。使用後は取り外したものをそのまま便器に流すことができる。取り外し用把手３を便座の外側まで延長して設けることで清潔に取り外すことができる。【選択図】図６
0003223193.tif 000002
【実用新案登録請求の範囲】
【請求項１】
イ）粘着テープで便座への取付取り外しが簡単にでき、取り外し後そのまま便器へ流せる。
ロ）便器、便座側にあらかじめ取り付けるものもなく便器のメーカー、型式を選ばずほとんどの便器に対応でき使用便器の設置施設、場所も選ばない。
以上の要素を兼ね備え、洋式便器と便座の隙間から小便の突出を防ぐためにその隙間をふさぐ大きさの水溶性素材でできた使い捨てを特徴とする遮水膜。
【請求項２】
取り外し部の把手は遮水膜本体から離れたところに設け小便の浸み込み等もなく清潔に掴んで取り外すことができる、請求項１に記載の遮水膜。
【請求項３】
通常は便座中央に取り付けられるが、取り付け位置は任意であり、使用該当者に小便の方向性の癖がある場合にはその位置に合わせることもできるし、遮水範囲が狭かった場合には増設もできる、請求項１に記載の遮水膜。。
【請求項４】
ポケットティッシュ並みのサイズであり、携帯性にも特徴があるが、それに限らず様々なサイズの製品としてそれを製作提供することも可能な、請求項１に記載の遮水膜。
【考案の詳細な説明】
【技術分野】
【０００１】  本考案は、洋式便器で座位において小便をする際に便器と便座の隙間から小便が突出、飛散するのを防ぐことに関するものである。
【背景技術】
【０００２】  洋式便器に座って小便をする際に時として放尿角度の悪さから便器と便座との隙間から小便が飛び出し、衣服のみならず床までも汚してしまうことがある。それを防ぐための考案である。特許文献１が本考案に一番近い発明であると思われるが根本的な違いは本考案にはそのための構造体が必要なく、直接単体で簡単に取付、取り外しができるという事である。したがって持ち運ぶことも可能であり外出先などでも使用することもできる。
【先行技術文献】
【特許文献】
【０００３】
【特許文献１】特許第６３５９７９２号  公報
【考案の開示】
【考案が解決しようとする課題】
【０００４】  解決しようとする問題点は洋式便器に座って小便をする際に便器と便座との隙間から小便が飛び出すのを防ぐことである。
【課題を解決するための手段】
【０００５】  本考案は洋式便器に座って小便をする際に便器と便座との隙間から小便の飛び出しを防止する為に、便座の先端内側に便器と便座の隙間を埋められる幅と適当な長さを持ち、使用後そのまま便器へ流せるような水溶性素材で出来た遮水膜を、取付取り換えが簡単な粘着テープで直接取り付ける。
【考案の効果】
【０００６】  便器と便座の隙間をその遮水膜で塞ぐことによって小便の飛び出しを防ぐことができる。使用後も遮水膜部分から離れた部位を持ち清潔に簡単に取り外すことができ、そのまま便器へ流せるため衛生的でもある。
【図面の簡単な説明】
【０００７】
【図１】遮水膜そのものの正面図である。
【図２】遮水膜そのものの断面図である。
【図３】遮水膜を便座に取り付けた状態の部分断面図である。
【図４】遮水膜を便座に取り付けた状態の部分平面図である。
【図５】遮水膜を便座に取り付けた状態の側面からの部分斜視図である。
【図６】遮水膜を便座に取り付けた状態の後方上面からの部分斜視図である。
【考案を実施するための形態】
【０００８】  便器と便座の隙間をカバーできる幅と適当な長さを持った大きさの遮水膜（１）を水溶性素材で作りその上面に取り付けた粘着テープ（２）を用い便座の先端内側に直接貼り付け小便の飛び出しを防ぐことを実現した。小便のかかりがないときはそれを取り付けた状態でもそれほど違和感はなく、便座を持ち上げることもできる。小便がかかった場合その汚れ具合を判断して、遮水膜から離れたところの把手により取り外してそのまま便器へ流すことができる。取り外した跡も便座側には残らない。取り付け位置は任意であるが、通常は便座中央（６）に取り付けられるが、使用該当者に小便の方向性の癖がある場合にはその位置に合わせる。また範囲が狭かった場合にはもう１枚増設もできるが、長尺物製品としてそれを製作することも可能である。
【実施例１】
【０００９】  図３は、本考案の取付状態を示した部分断面図である。【０００１０】  図６は、本考案の実施例の斜視図である。
【符号の説明】
【０００１１】  １  遮水膜本体の正面図
２  粘着テープ
３  取り外し用把手
４  便座
５  便器
６  便座センター位置
【図１】
0003223193.tif 000003
【図２】
0003223193.tif 000004
【図３】
0003223193.tif 000005
【図４】
0003223193.tif 000006
【図５】
0003223193.tif 000007
【図６】
0003223193.tif 000008
【手続補正書】
【提出日】令和1年7月9日(2019.7.9)
【手続補正１】
【補正対象書類名】実用新案登録請求の範囲
【補正対象項目名】全文
【補正方法】変更
【補正の内容】
【実用新案登録請求の範囲】
【請求項１】
イ）当該遮水膜は遮水膜本体、取付用粘着テープ、取り外し用把手から構成されており粘着テープにより簡単に便座へ取付取り外しができる。取り外し用の把手は遮水膜本体上部から把手状に便座の外側まで延長して設けているため小便の滲み込み等もなく清潔に掴んで取り外すことができる。
ロ）便器、便座側にあらかじめ取り付けるものもなく便器のメーカー、型式も選ばずほとんどの便器に対応でき使用便器の設置施設、場所も選ばない。
以上の要素を兼ね備え、洋式便器と便座の隙間から小便の突出を防ぐためにその隙間をふさぐ大きさで取り外し後はそのまま便器へ流せる水溶性素材でできた使い捨てを特徴とする遮水膜。
【請求項２】
通常は便座中央に取り付けられるが、取り付け位置は任意であり、使用該当者に小便の方向性の癖がある場合にはその位置に合わせることもできるし、遮水範囲が狭かった場合には増設もできる、請求項１に記載の遮水膜。。
【請求項３】
ポケットティッシュ並みのサイズであり、携帯性にも特徴があるが、それに限らず様々なサイズの製品としてそれを製作提供することも可能な、請求項１に記載の遮水膜。
(57)【要約】      （修正有）【課題】ストーマーパウチの排泄口の折りたたみ部を折り曲げることにより、その部分が肌にあたるときに痛みが生じるこの痛みを解決し、少々動いても脱落しない袋カバーを提供する。【解決手段】ストーマーパウチの排出口の部分を覆う袋カバー１であって袋カバー１の開口部５上端部Ｔの周縁に少なくとも１本のゴムひも２が設けられている。【選択図】図１
0003223108.tif 000002
【実用新案登録請求の範囲】
【請求項１】
ストーマーパウチ（Ｐ）の排出口（Ｈ）の部分を覆う袋カバー（１）であって袋カバー（１）の開口部（５）上端部（Ｔ）の周縁に少なくとも１本のゴムひも（２）が設けられていることを特徴とする袋カバー。
【請求項２】
前記袋カバー（１）の上端部（Ｔ）の開口部（５）とゴムひも（２）の間にヒダ（３）が設けられていることを特徴とする請求項１に記載の袋カバー。
【請求項３】
前記ゴムひも（２）の伸縮によってゴムひも（２）とヒダ（３）が伸縮し、開口部（５）が縮んだり伸びたりすることを特徴とする請求項１又は２に記載の袋カバー。
【請求項４】
前記袋カバー（１）の底角部（７ａ，７ｂ）は曲面（４）で形成されていることを特徴とする請求項１〜３のいずれかに記載の袋カバー。
【請求項５】
前記袋カバー（１）はフエルト布からなることを特徴とする請求項１〜４のいずれかに記載の袋カバー。
【考案の詳細な説明】
【技術分野】
【０００１】本考案はストーマーパウチを快適に使用できるストーマーパウチの袋カバーに関するものである。
【背景技術】
【０００２】大腸がんや膀胱がんなどにより、腸または尿道の一部を手術により切除した場合には、尿および便などの排泄物を体外に出すための排泄口（ストーマーパウチ（Ｐ））を人体の腹部の所定位置に設ける必要がある、ストーマーパウチには括約筋がないため、ストーマーパウチ（ｐ）を利用している患者は、自分の意思で排泄をコントロールすることが出来ない。そのため、腹部に専用のストーマーパウチ（Ｐ）を装着しておき、少しずつ排泄されてくる排泄物を、このストーマーパウチ（Ｐ）内で受け止め，ある程度溜まったところで、ストーマーパウチ（Ｐ）内の排泄物を捨てるという方法をとる。【０００３】ストーマーパウチ（Ｐ）の下部には、溜まったパウチ内の排泄物を捨てるための排出口（Ｈ）が設けられている。利用者は、この排出口（Ｈ）から定期的に内容物を捨ててストーマーパウチ内を空にすることによりストーマーパウチ（Ｐ）を再利用する。排出物を排出させる以外は、排出口（Ｈ）は閉じられている。【０００４】ストーマーパウチ（Ｐ）の排泄口（Ｈ）は排泄物が漏れないように排泄口（Ｈ）の裾から折り返し固定する。これによって排泄物がもれないようになる。
この折り返した部分すなわち折りたたみ部（Ｅ）が固くなり肌にあたると痛い。
【先行技術文献】
【特許文献】
【０００５】
【特許文献１】特開２０１０−４６１５２号公報
【考案の概要】
【考案が解決しようとする課題】
【０００６】折り返した部分すなわち折りたたみ部（Ｅ）が固くなり肌にあたると痛い。
これを解消し、肌にあたっても痛くないようにするための袋カバーで、しかも少々動いても脱落しにくい袋カバーを安価に提供することを課題とする。
【課題を解決するための手段】
【０００７】本考案はストーマーパウチ（Ｐ）の排出口（Ｈ）の部分を覆う袋カバー（１）であって袋カバー（１）の開口部（５）上端部（Ｔ）の周縁に少なくとも１本のゴムひも（２）が設けられていることを特徴とする袋カバーである。
【考案の効果】
【０００８】本考案によれば袋カバーは軽く柔らかく小さいので折りたたみ部（Ｅ）が肌にあたっても痛くなく快適に過ごせて少々動いても脱落しないと言う効果がある。
【図面の簡単な説明】
【０００９】
【図１】本考案の袋カバーの完成図である。
【図２】本考案の袋カバー片の展開図である
【図３】本考案の袋カバー片の折りたたみ図である
【図４】ストーマーパウチの全体図である。
【図５】ストーマーパウチに本考案の袋カバーをかぶせる図である。
【考案を実施するための形態】
【００１０】長方形のフエルト布の袋カバー片（１ａ）の右上端部（Ｔａ）辺より約５ｍｍ下げた位置に６コール（ゴムの強さ）程度のゴムひも（２）を縫いつける。左上端部（Ｔｂ）辺も同じようにする。ゴムひもの長さは（Ｔａ）（Ｔｂ）辺の長さの約７０％程度の長さが好適である。（Ｔａ）（Ｔｂ）辺の部分が伸縮する開口部（５）になる。
【００１１】固着したゴムひも（２）と他方のゴムひも（２）を中表に合わせて曲面（４），底部（６），底角部（７）辺を縫い合わせる。底角部（７ａ）辺と底角部（７ｂ）辺の部分は丸みを有する曲面（４ａ）（４ｂ）をつける。裏返してゴムひもの部分を表に出す。
【産業上の利用可能性】
【００１２】本考案は柔らかい袋カバーを固いストーマーパウチの折りたたみ部にカバーをして痛みを取り除き快適に過ごすことができる。しかも少々動いても脱落しないで利用価値が大きく産業上の利用可能性が大きい。
【符号の説明】
【００１３】１    袋カバー
１ａ  袋カバー片
２    ゴムひも
３    ヒダ
４    曲面
４ａ  曲面
４ｂ  曲面
５    開口部
６    底部
７ａ  底角部
７ｂ  底角部
Ｓａ  右側面部
Ｓｂ  左側面部
Ｊ    ジョイント部
Ｔ    上端部
Ｔａ  右上端部
Ｔｂ  左上端部
Ｐ    ストーマーパウチ
Ｅ    折りたたみ部
Ｈ    排泄口
【図１】
0003223108.tif 000003
【図２】
0003223108.tif 000004
【図３】
0003223108.tif 000005
【図４】
0003223108.tif 000006
【図５】
0003223108.tif 000007
(57)【要約】      （修正有）【課題】水虫の薬を塗り続けるだけでは殆ど効果のない厄介な水虫治療に驚く程の効果をもたらす水虫治療用補助ソックスを提供する。【解決手段】くるぶし付近までの深さを有し、長時間履いて自由に動きまわって歩いても破けたりしない丈夫なゴム製ソックス１であって、その上から履いた靴下が脱げにくいように、踵域に滑り止め補強部を設けてある。【選択図】図１
0003223103.tif 000002
【実用新案登録請求の範囲】
【請求項１】
水虫の薬を塗った素足に直に履いて使用し、くるぶし付近までの深さを有し、長時間履いて自由に動きまわって歩いても破けたりしない丈夫なゴム製ソックスであって、その上から履いた靴下が脱げにくいように、踵域に滑り止め補強部を設けてあることを特徴とする水虫治療用補助ソックス。
【請求項２】
ゴム製に匹敵する丈夫さを有するビニール製であることを特徴とする請求項１に記載の水虫治療用補助ソックス。
【考案の詳細な説明】
【技術分野】
【０００１】  足に水虫のできた人がラシミール等の治療薬を使用する際に、薬効の維持向上のために利用するソックスである。
【背景技術】
【０００２】  フラスコの中で水虫を殺せる薬、例えばラシミール等を足に塗布し、その上から靴下を履いたりしていた。介護ヘルパーの足を経由した有害菌の持ち込み・持ち出しを防ぐために、靴下等の上から履く形で使用される介護用ソックスが知られている（特許文献１参照）。
【先行技術文献】
【特許文献】
【０００３】
【特許文献１】特開２００６−１６１２５１号公報
【考案の概要】
【考案が解決しようとする課題】
【０００４】  水虫薬を足に塗布し、その上から靴下を履いていると、せっかくの薬が皮膚から拭きとられて靴下の方に移着してしまい、蒸発してしまいやすく、それによって、フラスコの中では証明されている薬効が非常に薄れ、実際上はなかなか治らなった。
特許文献１に示される先行技術は、手術時に医師が装着するような薄い手袋のような素材を想定し、介護ヘルパーの足や足に履いた靴下に有害菌が付着しないように予防するためのものであり、足の皮膚に密着しつつ、自由に動いて強い力で履物との間で摩擦を受け続ける場合、物理的に耐え得ない。
【課題を解決するための手段】
【０００５】  水虫の薬を塗った素足に直に履いて使用し、くるぶし付近までの深さを有し、長時間履いて自由に動きまわって歩いても破けたりしない丈夫なゴム製ソックスであって、その上から履いた靴下が脱げにくいように、踵域を他域よりも少し厚めにして、滑り止め補強部を設けてある。
以上を特徴とする水虫治療用補助ソックスである。
【考案の効果】
【０００６】  足の膚に塗布された薬が皮膚から剥がされ、蒸発してしまうことを防ぎ、薬の効果を持続させる直接的環境を長時間維持し続ける。また薄いビニール地と違い、足の皮膚に密着しつつ、自由に動いて強い力で履物との間で摩擦を受け続けても破けたりしない程の物理的に十分な丈夫さを有し、且つ、靴下との摩擦においてもゴム特有の滑りにくさに加え、滑り止め補強部によって、生活する中で普通の自然さで長時間動き回っても、靴下との間が滑りずれて歩きにくくなったりするような不便さが生じない。
【図面の簡単な説明】
【０００７】
【図１】  本考案において、水虫薬を塗った素足に直に履いた状態を示す斜視図
【図２】  （ａ）、（ｂ）本考案において、水虫薬を塗った素足に直に履いた上から靴下を履く状態を示す斜視図
【考案を実施するための形態】
【０００８】  以下、本考案の実施するための形態を説明する。
くるぶし付近までの深さを有し、長時間履いて自由に動きまわって歩いても破けたりしない丈夫なゴムソックス（１）であって、その上から履いた靴下（Ｋ）が脱げにくいように、踵域を他域よりも少し厚めにして、滑り止め補強部（２）を設けてある。
同程度の丈夫さを有するビニール製であっても同様の効果が得られる。
本考案は、以上の様な構成であり、これを実際に使用する時は、水虫用の薬を足（Ｌ）に塗ったら、その上に直に、普通に靴下（Ｋ）を履く要領で本考案で成るゴムソックス（１）を履き、その上からそのまま靴下（Ｋ）を履くだけである。
昼間活動している間、この状態で長時間に亘って薬は患部の皮膚に付着したまま、靴下（Ｋ）によって皮膚から擦り落とされたり、蒸発したりすることが殆どなく、薬効が持続する。
薬を塗った上から直接靴下（Ｋ）を履いたやり方では治癒の進展が３カ月かかるところが、本考案で成るゴムソックス（１）を利用すれば、ほぼ１０日間で治ってる効果を実感できる。
ゴムソックス（１）には滑り止め補強部（２）があるので、靴下（Ｋ）が滑って歩きづらくなったりする心配もない。
【符号の説明】
【０００９】    １  ゴムソックス
２  滑り止め補強部
Ｋ  靴下
Ｌ  足
【図１】
0003223103.tif 000003
【図２】
0003223103.tif 000004
(57)【要約】      （修正有）【課題】スポンジ薄板を貼った食品包装用ラップフィルム引き出しの為の長尺板を提供する。【解決手段】ラップフィルム引き出し長尺板の板面に、少しの厚みがあり弾力のあるスポンジ薄板、または軟質ゴム板、または合成織布等を長手方向一杯に貼付し、その長尺板全面を粘着性のあるフィルムで巻きつけることで、長尺板とフィルムの間の空間を埋めて、いかなる条件でも確実な粘着引き出しを可能にした。【選択図】図１
0003223104.tif 000002
【実用新案登録請求の範囲】
【請求項１】
食品包装用ラップフィルムを取り口に粘着して引き出す為の長尺板であって、素材となる長尺板の板面に、スポンジ薄板、または軟質ゴム板、または合成織布等少し厚みがあり弾力のある薄板を長手方向一杯に貼付し、その長尺板の全面を覆う如く粘着性のあるフィルムを巻き付けた、食品包装用ラップフィルム引出しの為の長尺板。
【考案の詳細な説明】
【技術分野】
【０００１】  食品包装用ラップフィルムをロール巻き容器より引き出すためのより確実に失敗のない粘着性のあるラップフィルム引き出しの為の長尺板に関する。
【背景技術】
【０００２】  食品包装用ラップフィルムは極薄く粘着性強く指でつまみにくく、切断からラップ掛けまで絡み易く困難を要しているが、そのため粘着性のある引き出し用具等で粘着して引き出す為の先行技術があり、それ自体は良好な考案であるが、実態では容器の凹みやフィルムが容器に密着している等で必ずしも常に確実に粘着引き出しが出来るとは限らず、市販商品化に至らない事が認められた。
【先行技術文献】
【特許文献】
【０００３】
【特許文献１】実開平７−２８８４０号
【０００４】
【特許文献２】実用新案登録  第３１４６９３３号
【０００５】
【特許文献３】実用新案登録  第３２１３０６７号
【０００６】
【特許文献４】実用新案登録  第３２１９６５７号
【考案の開示】
【考案が解決しようとする課題】
【０００７】  前述のように粘着引き出しが不確実な点は。長尺板が直線でフィルム容器の凹みやラップフィルムが強く容器に密着している場合など、長尺板との間に空間が出来ることによるものである点を認知し、その空間を埋めることを課題とした。
【課題を解決するための手段】
【０００８】  本考案では、長尺板の板面に少し厚みがあり弾力のあるスポンジ薄板、または軟質ゴム板、または合成織布等の繊維布を長手方向に一杯に貼付し、その上に粘着性のあるフィルムを巻き付けることで、あらゆる条件においても空間を埋めてラップフィルムを粘着捉えることが出来る。
【考案の効果】
【０００９】  本考案では、長尺板に巻き付けられた粘着性のあるフィルムの下地に少しの厚みがあり弾力のあるスポンジ薄板等を貼付したことでラップフィルムとの間の空間を埋めて粘着引き出しを確実にしたことは、先行技術にあった不粘着の不完全性を解消し失敗のない快適なラップ掛けを消費者に提供する商品を得られる。
【考案を実施するための最良の形態】
【実施例】
【００１０】  本考案の形態を述べる為にその製造過程を説明すると、ラップフィルムの横幅とほぼ同一の幅を持つ厚紙板を、ラップフィルム容器の引き出し側面とほぼ同一の間隔に数回曲折して扁平筒状の長尺板を形成し、スポンジ薄板、または軟質ゴム板、または合成織布を長尺板の長手方向一杯に貼付し、その上に粘着性のあるフィルムを長尺板全面に覆う如く数回巻き付けることで完結する。【００１１】  粘着性のあるフィルムは食品包装用ラップフィルムを使用することも可能で。粘着性が低下した際にユーザー自身で巻きつけ回復する事ができることは、消費者に便益を与えるものである。
【図面の簡単な説明】
【００１２】
【図１】  本考案の長尺板の平面図
【図２】本考案の長尺板の断面図
【符号の説明】
【００１３】  １  長尺板の本体
２  長尺板の一面に貼付したスポンジ薄板
３  長尺板全面に巻き付けられた粘着性のあるフィルム
【図１】
0003223104.tif 000003
【図２】
0003223104.tif 000004
(57)【要約】      （修正有）【課題】目地に注入したコーキング材を押圧処理して内部の気泡や空隙を取り除き、コーキング材をならすために使用されるコーキング用のヘラを提供する。【解決手段】握り部２のブレード本体装着部からブレード本体１の先端にかけてブレード本体１の肉厚が細くなっていき先端部で最も細くなる様に形成して、ブレード本体１に柔軟性を持たせて板面に破線５を表示している。【選択図】図１
0003223105.tif 000002
【実用新案登録請求の範囲】
【請求項１】
薄板な金属板からなるブレード本体とこのブレード本体を保持する握り部とを備えたコーキングヘラにおいて、前記握り部のブレード本体装着部から前記ブレード本体の先端部にかけて、肉厚が細くなるように形成されたことを特徴とするコーキング用のヘラ。
【請求項２】
請求項１に記載のブレード本体の板面の適宜箇所に適宜な間隔で破線を表示たことを特徴とするコーキング用のヘラ。
【考案の詳細な説明】
【技術分野】
【０００１】  本考案は、目地に注入したコーキング材を押圧処理して内部の気泡や空隙を取り除き、コーキング材をならすために使用されるコーキング用のヘラに関するものである。
【背景技術】
【０００２】  従来の技術としては、握り部のブレード本体装着部からブレード本体の先端にかけてブレード本体の肉厚が同一であった。作業者は現場の用途に応じてブレード本体を切断、加工等を施し、ブレード本体に適宜加工したバッカ―を貼着して自作のヘラを制作していた。
【先行技術文献】
【０００３】
【特許文献】
【特許文献】実用新案登録第３１６４８９０号公報
【考案の概要】
【考案が解決しようとする課題】
【０００４】  従来、コーキング用のヘラは、握り部のブレード本体装着部からブレード本体の先端にかけてブレード本体の肉厚が同一のため、ブレード本体の柔軟性が悪く、対象物の面が荒れているとその凹凸でブレード本体が硬いため、柔軟性に欠けて滑らかにならず、凹凸部の精度を要する箇所での微妙な指先での強弱の感覚がつけ難く、ブレード本体が振動して表面にビビり模様が出来てしまい表面が綺麗に仕上がらない。さらに現場の用途に応じてブレード本体を切断の際、切断箇所に線を引くなど手間がかかった。
【課題を解決するための手段】
【０００５】  上記問題を達成するためには、握り部のブレード本体装着部からブレード本体の先端にかけてブレード本体の肉厚が細くなっていき先端部で最も細くなる様に形成して、ブレード本体に柔軟性を持たせ、板面の適宜箇所に適宜な間隔で直線、半円形等の破線を表示している。
【考案の効果】
【０００６】  上記のように本考案は、握り部のブレード本体装着部からブレード本体の先端にかけてブレード本体の肉厚が細くなっていき先端部で最も細くなる様に形成して、ブレード本体に柔軟性を持たせているので、作業者は現場の用途に応じてブレード本体を切断、加工等を施し、ブレード本体に適宜加工したバッカ―を貼着して自作のヘラを制作しているが、対象物の面が荒れている凹凸部の精度を要する箇所でもブレード本体に柔軟性が有るので、微妙な指先での強弱の感覚もつけやすく、表面にビビり模様が出来る事なく表面が綺麗に仕上がる。【０００７】  また、余分なコーキング材を除去する際も、ブレード本体に柔軟性が有るので、ブレード本体の先端部が受ける抵抗が軽減され、確実に押圧処理して内部の気泡や空隙を取り除き安定した作業で表面仕上げを綺麗に出来る。【０００８】  そして、ブレード本体に柔軟性を持たせているので、作業者の力の入れ具合に応じてブレード本体１が撓み変形し、コーキング材を所定の方向に移動させる動作も滑らかになり、スムーズに作業が行えるので作業者の手首や指先の負担も軽減され作業効率も向上する。【０００９】  さらに、ブレード本体の板面の適宜箇所に適宜な間隔で破線を表示しているので、現場の用途に応じてブレード本体を切断の際、板面に表示してある所望の直線、半円形等の破線を切断すればよく切断箇所に線を引くなどの手間が省けるので作業効率も向上する。
【図面の簡単な説明】
【００１０】
【図１】  本考案の正面図
【図２】  本考案の側面図
【考案を実施するための形態】
【００１１】  本考案は、握り部のブレード本体装着部からブレード本体の先端にかけてブレード本体の肉厚が細くなっていき先端部で最も細くなる様に形成して、ブレード本体に柔軟性を持たせている。以下、添付図面に従って一実施例を説明する。
【実施例】
【００１２】  図１及び図２は本考案の正面図と側面図である。
１は薄板な金属からなるブレード本体で略長方形である。２はブレード本体装着部の握り部で木製また合成樹脂製である。３はブレード本体装着部である。４はリベットであり、ブレード本体１と握り部２を固定している。５は破線であって、ブレード本体１の板面に表示されている。【００１３】  本考案は以上の構成であるから、握り部２のブレード本体装着部３からブレード本体１の先端にかけてブレード本体１の肉厚が細くなっていき先端部で最も細くなる様に形成して柔軟性を持たせているブレード本体１を、作業者は現場の用途に応じて板面に表示してある所望の直線、半円形等の破線を切断、加工等を施してブレード本体１に適宜加工したバッカ―を貼着して自作のヘラを制作している。【００１４】  その使用方法としては作業者がブレード本体１の握り部２を手で持ち、ブレード本体１の先端部に貼着したバッカ―はブレード本体１より大きく末広がり状で側面が傾斜し、先端部の形状はＶ字形になっており、バッカ―を充填されたコーキング材の表面に押し当て、押圧された状態で充填されたコーキング材を所定の方向に移動させるようにすることで行われる。【００１５】  また対象物の面が荒れている凹凸部の精度を要する箇所でもブレード本体１に柔軟性を持たせているので、微妙な指先での強弱の感覚もつけやすいので、表面にビビり模様が出来る事なく表面が綺麗に仕上がる。そしてブレード本体１に柔軟性を持たせているので、ブレード本体１の先端部に貼着したバッカ―が受ける抵抗が軽減され、確実に押圧処理して内部の気泡や空隙を取り除き安定した作業で表面仕上げを綺麗に出来て、さらに作業者の力の入れ具合に応じてブレード本体１が撓み変形し、コーキング材を所定の方向に移動させる動作も滑らかになり、スムーズに作業が行えるので作業者の手首や指先の負担も軽減され作業効率も向上する。【００１６】そして、ブレード本体の板面の適宜箇所に適宜な間隔で直線、半円形等の破線を表示しているので、現場の用途に応じて所望の破線に沿ってブレード本体を切断するので、切断箇所に線を引くなどの手間が省けて作業効率も向上する。
産業上の利用可能性【００１７】  本考案はコーキングのヘラの産業で利用される。
【符号の説明】
【００１８】１  ブレード本体
２  握り部
３  ブレード本体装着部
４  リベット
５  破線
【図１】
0003223105.tif 000003
【図２】
0003223105.tif 000004
(57)【要約】      （修正有）【課題】ブレーキペダルデプレッサーとしても使用することができる工具ケースを提供する。【解決手段】外形が柱状の工具ケースの両底面１０に滑り止め１２機能を付加する。工具ケース１をブレーキペダルと運転席側シートの間に挟み込んで運転席側シートの位置調整を行い、ブレーキペダルを踏み込んだ状態にするとき、運転席側シートとブレーキペダルに接触する両底面に滑り止めがあることで、確実にブレーキペダルを踏み込んだ状態にすることができる。【選択図】図１
0003223128.tif 000002
【実用新案登録請求の範囲】
【請求項１】
外形が柱状の工具ケースであって、
両底面に滑り止めを有することを特徴とする工具ケース。
【請求項２】
前記両底面が長さ方向に垂直であって、前記両底面が凹凸のある形状を有することを特徴とする請求項１に記載の工具ケース。
【請求項３】
前記凹凸のある形状が自動車用タイヤのブロック型トレッドパターンであることを特徴とする請求項２に記載の工具ケース。
【請求項４】
前記両底面の表面がゴムであることを特徴とする請求項１〜３のいずれか１項に記載の工具ケース。
【考案の詳細な説明】
【技術分野】
【０００１】
本考案は、ブレーキペダルデプレッサーとしても使用することができる工具ケースに関するものである。
【背景技術】
【０００２】
自動車のタイヤ交換等を行う際に車両をジャッキアップさせると、前輪においてはサイドブレーキが効かずタイヤが空転するため、安全かつ確実にホイールナットの締め付けができない。その結果、ホイールナットの締め付けが完全でない場合は、ハブボルトの損傷や走行中にホイールが脱落する恐れがある。
そこで、タイヤ交換等においては、人が足でブレーキペダルを踏む代わりに、運転席側シートとブレーキの間にブレーキペダルデプレッサーと呼ばれる専用の工具を挟んでブレーキペダルが踏まれた状態にすることがある。  
【０００３】
ところで、ブレーキペダルデプレッサーの認知度は低く、高額であることから、一般のユーザーがこの専用工具を使用する機会は多くなく、ブレーキペダルデプレッサーを常備しているのは自動車の整備工場等に限られる。
そこで、ブレーキペダルデプレッサーがない場合は、適度な長さを有する棒状の物品を代替品として使用している。
【考案の概要】
【考案が解決しようとする課題】
【０００４】
しかしながら、適度な長さを有する棒状の物品をブレーキペダルデプレッサーの代替品として使用する場合は、シート面及びブレーキペダル面と代替品との密着が悪く、うまくブレーキペダルが踏まれた状態にできない、又は作業途中で代替品が外れてしまうという不具合があった。
【０００５】
そこで本考案は上記の問題点を解決することを課題としており、ブレーキペダルデプレッサーとしても使用することができる工具ケースを提供することを目的としている。
【課題を解決するための手段】
【０００６】
上記目的を達成するために本考案は、柱状の工具ケースの両底面に滑り止めを備えたことを主な特徴とする。
【０００７】
すなわち、第１の本考案は、外形が柱状の工具ケースであって、両底面に滑り止めを有することを特徴とする工具ケースである。
【０００８】
工具ケースをブレーキペダルと運転席側シートの間に挟み込んで運転席側シートの位置調整を行い、ブレーキペダルを踏み込んだ状態にするとき、運転席側シートとブレーキペダルに接触する両底面に滑り止めがあることで、確実にブレーキペダルを踏み込んだ状態にすることができる。
柱状の工具ケースとしては、例えばトルクレンチを収納するケースがある。
【０００９】
さらに第２の本考案の工具ケースは、第１の本考案において、両底面が長さ方向に垂直であって、両底面が凹凸のある形状を有することを特徴とする。
【００１０】
両底面を凹凸のある形状にすることで、運転席側シートとブレーキペダルとの接触面の摩擦力を容易に増加させることができる。
【００１１】
さらに第３の本考案の工具ケースは、第２の本考案において、凹凸のある形状が自動車用タイヤのブロック型トレッドパターンであることを特徴とする。
【００１２】
ブロック型トレッドパターンは、オフロード車に使用されるトレッドパターンであり、数あるトレッドパターンの中でも特にグリップ力に優れる。
【００１３】
さらに、第４の本考案の工具ケースは、第１〜第３の何れか１つの本考案において、
両底面の表面がゴムであることを特徴とする。
【００１４】
両底面の表面がゴムであることで、その弾力性によりさらにグリップ力が増すことになる。  
【考案の効果】
【００１５】
本考案の工具ケースは、両底面に滑り止めを有することで、ブレーキペダルデプレッサーとしても使用することができ、別途専用のブレーキペダルデプレッサーを所有する必要がない。
【図面の簡単な説明】
【００１６】
【図１】本考案の実施の形態を示す図である。
【図２】従来の工具ケース（トルクレンチケース）を示す図である。
【図３】本考案の使用例を示す図である。
【考案を実施するための形態】
【００１７】
本考案は、ブレーキペダルデプレッサーとしても使用することができる工具ケースを提供するという目的を、外形が柱状の工具ケースの両底面に滑り止めを機能を持たせることで実現した。
以下に本考案の好ましい実施の形態について図を用いて説明する。
【実施例】
【００１８】
図２は、従来の工具ケース（トルクレンチケース）を示す図である。長さを有する工具ケース１は、上下半割になっており、蝶番（図示省略）で開閉自在に接続されている。底面１０は少し傾斜角を有し、半割の上下部は止め具２０で固定される。
【００１９】
図１は、本考案の実施の形態を示す図である。工具ケース１は、全体として四角柱の形状を有し、図２と大きく異なるところは、底面１０が長さ方向に垂直であり、かつ底面１０に滑り止め１２が設けられていることである。
図２では、滑り止め１２は、オフロード車のタイヤに採用されるトレッドパターンであるブロック型トレッドパターンであるが、滑り止め１２は、これに限られるものではない。
【００２０】
本実施例では、底面１０の滑り止め１２を工具ケース１の表面にトレッドパターンの凹凸を設けることで実現しているが、工具ケース１の表面の形状を凹凸すること以外に、工具ケース１の底面にゴム板等の摩擦力の大きい素材を貼り付けることでも、滑り止め機能は実現できる。
【００２１】
図３は、本考案の使用例を示す図である。略六角柱の外形を有する工具ケース１が、運手席側シート３０とブレーキペダル４０との間に挿入されている。
ブレーキペダル４０の踏込具合は、運転席側シート３０を前後に移動させることによって調整される。
工具ケース１の両底面に凹凸が有ることで、工具ケース１が運転席側シート３０とブレーキペダル４０の間から滑り落ちることがない。
【符号の説明】
【００２２】
１      工具ケース
１０    底面
１２    滑り止め
２０    止め具
３０    運転席側シート
４０    ブレーキペダル
【図１】
0003223128.tif 000003
【図２】
0003223128.tif 000004
【図３】
0003223128.tif 000005
(57)【要約】      （修正有）【課題】浴用タオル２枚を重ね合せ縫い合せたタオル中央に空間を設け洗剤の泡立を増し固形洗剤を入れて使用できる浴用ボディタオルを提供する。【解決手段】浴用タオルを２枚重ねにすることで繊維の量が増し洗剤の泡立と保持力が多くなる。また、空間Ａに固形洗剤を入れることができ、液剤、固形の洗剤が使用できる、タオルの縫い合せ部を少なくすることで柔軟性があり使用後の泡の切れも容易になる。【選択図】図２
0003223190.tif 000002
【実用新案登録請求の範囲】
【請求項１】
浴用タオルを２枚重ねにしてタオルの４箇所の線を縫い合せた浴用ボディタオル。
【請求項２】
浴用タオルの縫い合せた中央の空間部に固形洗剤を入れて使用ができる請求項１記載の浴用ボディタオル。
【請求項３】
浴用タオルの縫い合せが２箇所は長手方向の両端部、２箇所は長手方向の中央部である請求項１乃至請求項２いずれかの１項に記載の浴用ボディタオル。
【請求項４】
縫い合せが短手長さの３／４以上である請求項１乃至３のいずれかの１項に記載の浴用ボディタオル。
【考案の詳細な説明】
【技術分野】
【０００１】本考案は浴用タオルを２枚重ねタオル中央の縫い合せ部に空間を設けた浴用ボディタオルである。
【背景技術】
【０００２】従来の浴用タオルは体を洗うときに洗剤の泡立に斑があったり背中を洗うときに力の強弱を加えなければならなかった。
【先行技術文献】
【特許文献】
【０００３】
【特許文献１】特開  ２０１２−３５０３３号  公報
【特許文献２】特開  平９−２６２１８８号  公報
【考案の概要】
【考案を解決しようとする課題】
【０００４】従来の浴用タオルは洗剤の保持力が少なく体を洗う場合に繊維が伸び過ぎて力を強く入れなければならずポケット状の空間は凹凸が出過ぎて肌に優しくなかった、又縫い合せが多すぎても柔軟性に欠く。
【課題を解決するための手段】
【０００５】本考案は浴用タオルを２枚重ねにしたタオルの両端と中央部の４箇所を縫い合せる縫い合せ部を少なくすることでタオル全体での縫い合せは長手方向の両端の２箇所と中央部の２箇所とし両端は端より１ｍｍから２ｃｍできれば１ｍｍから３ｍｍのところを短手長さの１／２以上このましくは３／４以上あればよく中央部の空間は固形石鹸が入る程度にするいずれかの縫い合せでよい。
このように縫い合せをするがこれ以外の縫い合せをしないことが課題を解決する、中央部の空間の間隔は３〜２０ｃｍこのましくは５〜１０ｃｍの間隔で縫い合せる。
【考案の効果】
【０００６】上述のように本考案の２枚重ねタオルにすることで繊維の量が多くなり泡の保持力を大きくし体に接する圧力を軽減する、縫い合せの部分が少ないことで使用後の泡切れも容易になり中央部の空間には固形洗剤も簡単に入れることができ又単純な形状で作業性、環境にも優れた浴用タオルである。
【図面の簡単な説明】
【０００７】
【図１】縫い合せが短手長さと同じである本考案の２枚重ね浴用ボディタオルの実施例−１の示す正面図である。
【図２】本考案の２枚重ね浴用タオルの実施例−２を示す断面図である。
【図３】縫い合せが短手長さの３／４である実施例−２の正面図である。
【図４】縫い合せが実施例−３と異なる縫い合せた実施例−３を示す正面図である。
【符号の説明】
【０００８】１        縫い合せたボディタオル本体
２〜３    ボディタオル端の縫い目
４〜５    ボディタオル中央の縫い目
６〜７    ボディタオル中央の縫い目
８〜９    ボディタオル端の縫い目
Ａ        ボディタオル中央の空間
【図１】
0003223190.tif 000003
【図２】
0003223190.tif 000004
【図３】
0003223190.tif 000005
【図４】
0003223190.tif 000006
【手続補正書】
【提出日】令和1年7月6日(2019.7.6)
【手続補正１】
【補正対象書類名】実用新案登録請求の範囲
【補正対象項目名】請求項１
【補正方法】変更
【補正の内容】
【請求項１】
２枚重ねにした浴用タオルを、縫い目が４箇所の線となるように縫い合わせた浴用ボディタオル
(57)【要約】      （修正有）【課題】おむつ装着者が排便後に便でかぶれるのを防止するとともに、介助者の便処理の手間を減少させることができる帯状シートを提供する。【解決手段】紙や布状の横に長いシートであり、縦は人のへそから大腿部の半分くらいまでの長さで、横は人の腹囲くらいの長さを有し、シートの中央部付近は、横が人の腰幅の半分くらいの長さで、縦はシートの縦の長さと同じ長さの長方形であり、その長方形の左の辺の中間点付近からシートの左端まで切込みが入り、右の辺の中間点付近からシートの右端まで切込みが入っている。足や腹部を、この便付着防止シートでカバーする。【選択図】図１
0003223181.tif 000002
【実用新案登録請求の範囲】
【請求項１】
中央付近は繋がり、その両端が数本になっている帯状シート。
【考案の詳細な説明】
【技術分野】  おむつ装着時に予め、便が皮膚に付着しないように、足や腹部にシートを巻いておき、それによりおむつ交換を楽にし、おむつかぶれを減少させるものである。
【背景技術】  おむつ装着者の排便後、足に巻いたシートを外し、そのシートで便を包み込み、便が本人のみならず、おむつ交換をする介助者にも付着しないようにした。
【考案の概要】
【考案が解決しようとする課題】  おむつ利用者が排便後、便によりかぶれるのを防ぎ、介助者の便処理の手間を減少させるため、便付着防止シートを提供する。
【課題を解決するための手段】排便時に便が足や腹部に付着しないように、足や腹部に巻いておくシート。
【考案の効果】排便時のオムツ交換が容易になり、おむつかぶれを抑えることができる。
【図面の簡単な説明】
【図１】は、便付着防止シートの平面図である。
【図２】は、便付着防止シートを体に装着した図である。
【符号の説明】  ［▲１▼  ］は、中央の部分を臀部に敷き、下腹に巻く部分である。
［▲２▼  ］は、下腹に巻く部分と足に巻く部分を分ける切込みである。
［▲３▼  ］は、足に巻く部分である。
【図１】
0003223181.tif 000003
【図２】
0003223181.tif 000004
【手続補正書】
【提出日】令和1年7月1日(2019.7.1)
【手続補正１】
【補正対象書類名】実用新案登録請求の範囲
【補正対象項目名】全文
【補正方法】変更
【補正の内容】
【実用新案登録請求の範囲】
【請求項１】
紙や布状の横に長いシートで、サイズは、大人用や子供用などで異なるが、縦は人のへそから大腿部の半分くらいまでの長さで、横は人の腹囲くらいの長さのもの。そのシートの中央部付近に、横は人の腰幅の半分くらいの長さで、縦はシートの縦の長さと同じ長さの長方形を仮定すると、その長方形の左の辺の中間点付近からシートの左端まで切込みが入り、右の辺の中間点付近からシートの右端まで切込みが入ったもの。
(57)【要約】      （修正有）【課題】ファスナー、面ファスナー等を設けることにより、直立した状態で着脱を可能にした防寒つなぎ服を提供する。【解決手段】従来の防寒つなぎ服本体の前開ファスナーを逆開オープンファスナー３に変更して足の両内股部分の裾から股間にかけてオープンファスナーを片足ごとに設けることにより両内股部分から胴体部分まで前開きにする。【選択図】図１
0003223185.tif 000002
【実用新案登録請求の範囲】
【請求項１】
従来の防寒つなぎ服にファスナー、マジックテープ等を設けることにより、直立した状態で着脱を可能にしたことを特徴とする防寒つなぎ服。
【請求項２】
上述の特徴を生かし、サイドリリースバックル、マジックテープを設ける事により、防寒つなぎ服ズボン部分をまくし上げ、固定する事が可能であるところを特徴とする防寒つなぎ服。
【考案の詳細な説明】
【技術分野】
【０００１】本考案は、従来の防寒つなぎ服本体にファスナー、マジックテープ、サイドリリースバックル等を設けた、防寒つなぎ服に関するものである。
【背景技術】
【０００２】従来の防寒つなぎ服は、着脱時、「穿く行為」（片足立、裾を床につける）を行っている。また、排便時は胴体部を脱がなければならない。
【先行技術文献】
【特許文献】
【０００３】
【特許文献１】特許５５５７１２３
【特許文献２】特開２００４−２６３３２７
【非特許文献】
【０００４】
【非特許文献１】
【非特許文献２】
【考案の概要】
【考案が解決しようとする課題】
【０００５】従来の防寒つなぎ服は、屋外での着脱行為が難しく、また、排便時には胴体部を脱がなければなく、体温を消耗し、着脱も労働的負担である。
【課題を解決するための手段】
【０００６】本考案は、防寒つなぎ服本体の両足、各内股部分に裾部から股間にかけファスナーを設け、股間部から両裾口にかけて開放でき、且つ、両肩部、両裾にサイドリリースバックル等を設けて、裾部分をまくしあげて、固定できるようにしたことにより問題を解決している。
【考案の効果】
【０００７】上述のように、防寒つなぎ服を穿く動作をせずに着脱でき、且つ、排便時、上半身の体温低下を防ぎ、緊急時の救命防寒着としても役立つ。
【図面の簡単な説明】
【０００８】
【図１】本考案の防寒つなぎ服の実施例を示す。着衣時、正面図である。
【図２】本考案の防寒つなぎ服の実施例を示す。脱衣時、正面図である。
【図３】本考案の防寒つなぎ服の実施例を示す。排便時、正面図である。
【図４】本考案の防寒つなぎ服のファスナーの各名称を示す。正面図である。
【考案を実施するための形態】
【０００９】防寒つなぎ服の本体の正面、股間部から上半身、首元にかけて逆開オープンファスナーを設け、開放時はスライダーが股間の位置に在ることとする。足の部分は各内股の裾から股間にかけて、オープンファスナーを設け、開放時はスライダーが。裾の位置に在ることとする。ズボン部の固定は、両裾と両肩にサイドリリースバックル、マジックテープを設ける。（左に各一対、右に各一対）
【実施例】
【００１０】以下、添付書類に従って、実施例を説明する。
【符号の説明】
【００１１】▲１▼  防寒つなぎ服本体
▲２▼  逆開オープンファスナー
▲３▼  オープンファスナー
▲４▼  サイドリリースバックルＡ
▲５▼  サイドリリースバックルＢ
▲６▼  マジックテープＡ
▲７▼  マジックテープＢ
▲８▼  スライダーＡ
▲９▼  スライダーＢ
▲１０▼  スライダーＣ
【図１】
0003223185.tif 000003
【図２】
0003223185.tif 000004
【図３】
0003223185.tif 000005
【図４】
0003223185.tif 000006
【手続補正書】
【提出日】令和1年7月4日(2019.7.4)
【手続補正１】
【補正対象書類名】実用新案登録請求の範囲
【補正対象項目名】全文
【補正方法】変更
【補正の内容】
【実用新案登録請求の範囲】
【請求項１】
従来の防寒つなぎ服本体の前開ファスナーを逆開オープンファスナーに変更して足の両内股部分の裾から股間にかけてオープンファスナーを片足ごとに設けることにより両内股部分から胴体部分まで前開きにすることを特長とする防寒つなぎ服。
【請求項２】
両内股部分から胴体部分が前開きにする事が出来ることを特徴とする請求項１記載の防寒つなぎ服に両足裾と両肩にサイドリリースバックルと面ファスナーを左右各一対づつ設けることにより下半身部分をまくしあげて防寒つなぎ服胴体部にて固定することを特長とする防寒つなぎ服。
(57)【要約】      （修正有）【課題】一般家庭、飲食店で、肉と野菜のまな板を区別することなく、１枚のまな板で洗浄なしで料理ができ、合理的かつ衛生的で食中毒対策にもなる１枚ずつ剥がして使用できる複数枚シート、及びまな板を提供する。【解決手段】キッチン用品「まな板」に人体に無害のビニールやポリエチレン、ポリエステル、プラスチック、耐水ペーパーなどのはがせるシートを複数層に重ね、クリップで挟んで、まな板の使用毎にシートを使い捨て形式で使用する。複数層シートを１枚ずつ引っ張るだけで新しい使い捨てのシートを利用できる。【選択図】図１
0003223186.tif 000002
【実用新案登録請求の範囲】
【請求項１】
通常のキッチン用品「まな板」の上に複数層重ねた１枚ずつ剥がして使用できる複数枚シート
【請求項２】
通常のキッチン用品「まな板」の本体ベースと複数層シートを一体化させるクリップで、クリップの形状はいずれの形式や大きさ、本体ベースに接着され完全に一体化されているかどうかも問わない。
【請求項３】
この考案は、本体含めて全ての大きさが、業務用の大きいサイズのものも極小サイズのものも含むものとし、まな板本体の厚さやデザイン性は問わない。
【考案の詳細な説明】
【技術分野】
【０００１】
本考案は、キッチン用品「まな板」に人体に無害のビニールやポリエチレン、ポリエステル、プラスチック、耐水ペーパーなどのはがせるシートを複数層に重ね、クリップで挟んで、まな板の使用毎にシートを使い捨て形式で使用するものであり、複数層シートを１枚ずつ引っ張るだけで新しい使い捨てのシートを利用できるまな板である。
【背景技術】
【０００２】
まな板は従来、毎度中性洗剤などで水やお湯で流しながら洗うというスタイルをとっていた。とても面倒で洗い残しと汚れが残りやすい弱点があった。
【考案の概要】
【考案が解決しようとする課題】
【０００３】
解決しようとする問題点は、主にまな板に残りやすい雑菌問題や洗う手間と洗浄に時間がかかる点と利便性である。
【課題を解決するための手段】
【０００４】
本考案は、まな板に衛生的で取り外せるシートを一体化させ、使い捨てで使用できることを最も主要な特徴とし、取り外しやすいデザイン設計にしてあることも本品の特徴である。
【考案の効果】
【０００５】
本考案の「クリップレイヤーカッティングボード」は、複数層シートを取り外しやすく、使い捨て形式のため衛生的で、人体に無害、料理と片付けの時間を短縮でき、水資源の節約、洗浄場が近くにない時も利用しやすいという利点がある。
【図面の簡単な説明】
【０００６】
【図１】図１は、「クリップレイヤーカッティングボード」の仕様を説明した図面である。
【考案を実施するための形態】
【０００７】
まな板に一枚ずつ取り外せるタイプの複数枚シートを重ねて多重に貼り付けて生産することで、使用時には、本品使用後、基礎となるまな板とクリップからシートを１枚ずつ取り外し、捨てて新しいシートを最表面にすることで新しいシートを利用できる。
【０００８】
シートの素材は問わないが人体に無害であることが条件である。
【産業上の利用可能性】
【０００９】
一般家庭はもちろん、飲食店や調理場、給食センターや食品工場などでも利用を積極的に推進できる商品である。
【符号の説明】
【００１０】
A.    まな板本体ベース
B.    １枚ずつ取り外せる多重層シート  
C.    Aのまな板本体ベースとBの多重層シートを両方同時に挟むクリップ
【図１】
0003223186.tif 000003
【手続補正書】
【提出日】令和1年7月23日(2019.7.23)
【手続補正１】
【補正対象書類名】実用新案登録請求の範囲
【補正対象項目名】全文
【補正方法】変更
【補正の内容】
【実用新案登録請求の範囲】
【請求項１】
通常のキッチン用品「まな板」の上に複数層重ねた一枚ずつ剥がして使用できる複数枚シート。
【請求項２】
通常のキッチン用品「まな板」の本体ベースと請求項１の複数層シートをクリップで一体化させたまな板。
&#8232;
(57)【要約】      （修正有）【課題】この考案は包丁を砥石にて研ぐとき、包丁の砥石に対する角度を一定にして研ぎ易いようにした道具を提供する。【解決手段】滑り止めを貼り付けた弾性のある板を折り曲げてロウラー４を取り付けて、これに包丁７を差込み、スムーズに動くようにした道具である。【選択図】図２
0003223022.tif 000002
【実用新案登録請求の範囲】
【請求項１】
包丁の峰を受け止め面を有する軸受けを設け、この軸受けに保持された芯棒にロウラーを取り付けた挟持片にて、砥石で包丁を一定の角度で研ぐ為の包丁研ぎの補助具。
【考案の詳細な説明】
【考案の詳細な説明】
【技術分野】
【０００１】この考案は、包丁をこの道具に差し込んで研ぐ角度を理想の角度である５度前後で安定させて、誰にでも簡単に研ぎやすくした道具である。
【背景技術】
【０００２】刃物を研ぐのには色々な道具があるが、やはり砥石で研ぐのが一番の切れ味になる。しかもこれが日本の文化でもある。しかし刃物を砥石で研ぐのは技術を要し、一般の人にはなかなかうまく研げず最近は研げる人が少なくなっている。又、器具を用いてロウラーを包丁の両側或いは片側に取り付ける方法も考えられているがこれでは包丁と砥石との角度が大きくなるかロウラーを極端に小さくしないと良い角度が取れないと言う欠点がある
【考案が解決しようとする課題】
【０００３】  これには次のような欠点があった。包丁を砥石で研ぐには同じ角度で刃先を研ぐのがむずかしく切れ味のいい包丁にはなかなかならなかった。又ロウラーを片側或いは両側に取り付けることはあったがこれにはロウラーや支持棒を細くするにも限界があり強度的にもより小さい角度にするにも無理なところがあった。以上のようなことを解決する為にロウラーを包丁の峰側に一個だけ取り付けることにより砥石との角度を小さくして十分な大きさのロウラーと支持棒を取り付けることが出来、使いやすい、包丁を研ぐための道具が出来た。この考案によって今は殆ど見かけられなくなっている、どこの家庭でも砥石にて包丁を研いでいる姿が復活される。
【課題を解決する為の手段】
【０００４】いま、その構成を説明すると
（イ）包丁の当る部分に滑り止め（７）を設けた金属又はプラスチック板を折り曲げた（１）の厚みより大きいロウラー（４）を取り付ける。
（ロ）板の内側にロウラーを支持する為の軸受け（２）を取り付ける。
（ハ）軸受けの先端に包丁の峰が当るように包丁を差し込んで固定する。
（ニ）固定した包丁を図４のように砥石にのせて研げば同じ角度でとげる
【考案の効果】
【０００５】  包丁の刃先とロウラーの砥石接点までの角度が一定になっているのでこれを砥石に合わせて研ぐことにより、同じ角度で研げて良く切れる包丁に仕上がる。この道具をずらす事で長い包丁も簡単に研ぐ事ができる。又、両刃の包丁は持ち手（柄）を左右反対にして持つ事により同様に研ぐことが出来る。
【図面の簡単な説明】
【図１】  本考案の曲げ板部分の斜視図
【図２】  本考案の使用斜視図
【図３】  本考案の使用平面図
【図４】  本考案の使用断面図
【符号の説明】  １は折り曲げた金属又はプラスチックの板
２はロウラーの軸受け
３は心棒
４はロウラー
５はワッシャー
６は止めピン
７は包丁
７ａは包丁の刃
７ｂは包丁の背
【図１】
0003223022.tif 000003
【図２】
0003223022.tif 000004
【図３】
0003223022.tif 000005
【図４】
0003223022.tif 000006